(57)【要約】【課題】撮像装置で撮像された画像に対する容易なアクセス制御を提供することを目的とする。【解決手段】撮像装置で撮像された画像毎に付加された画像に対してアクセス可能なユーザを識別するユーザ識別情報を、撮像装置より取得するユーザ識別情報取得手段と、ネットワークを介して通信可能な外部端末装置より画像に対するアクセス要求を受け取ると、アクセス要求に係り、外部端末装置より受け取ったユーザを識別するユーザ識別情報と、ユーザ識別情報取得手段において取得したユーザ識別情報と、に基づいて、アクセス可能なユーザからの要求か否かを判定し、アクセス可能なユーザからの要求であると判定すると、画像の転送に係る処理を実行する画像転送手段と、を有することによって課題を解決する。【選択図】図１
2008060843.tif 000002
【特許請求の範囲】
【請求項１】
撮像装置で撮像された画像毎に付加された画像に対してアクセス可能なユーザを識別するユーザ識別情報を、前記撮像装置より取得するユーザ識別情報取得手段と、
ネットワークを介して通信可能な外部端末装置より前記画像に対するアクセス要求を受け取ると、前記アクセス要求に係り、前記外部端末装置より受け取ったユーザを識別するユーザ識別情報と、前記ユーザ識別情報取得手段において取得したユーザ識別情報と、に基づいて、アクセス可能なユーザからの要求か否かを判定し、アクセス可能なユーザからの要求であると判定すると、前記画像の転送に係る処理を実行する画像転送手段と、
を有することを特徴とするクレードル装置。
【請求項２】
前記ユーザ識別情報取得手段は、前記画像に係るタグ情報に含まれるユーザ識別情報を取得することを特徴とする請求項１に記載のクレードル装置。
【請求項３】
クレードル装置における画像アクセス制御方法であって、
撮像装置に電力供給を行う電力供給ステップと、
前記撮像装置で撮像された画像毎に付加された画像に対してアクセス可能なユーザを識別するユーザ識別情報を、前記撮像装置より取得するユーザ識別情報取得ステップと、
ネットワークを介して通信可能な外部端末装置より前記画像に対するアクセス要求を受け取ると、前記アクセス要求に係り、前記外部端末装置より受け取ったユーザを識別するユーザ識別情報と、前記ユーザ識別情報取得ステップにおいて取得したユーザ識別情報と、に基づいて、アクセス可能なユーザからの要求か否かを判定し、アクセス可能なユーザからの要求であると判定すると、前記画像の転送に係る処理を実行する画像転送ステップと、
を有することを特徴とする画像アクセス制御方法。
【発明の詳細な説明】
【技術分野】
【０００１】
本発明は、クレードル装置及び画像アクセス制御方法に関する。
【背景技術】
【０００２】
デジタルカメラ用の雲台にパンチルト機能を付けたものがある（例えば、特許文献１参照）。
【０００３】
【特許文献１】特開２００２−１９９２５１号公報
【発明の開示】
【発明が解決しようとする課題】
【０００４】
このようにネットワーク通信機能を備えたクレードル装置にデジタルカメラを備え付けてネットワーク上の画像表示端末からデジタルカメラ内の撮影画像を表示させる場合、デジタルカメラ内部の撮影データは、ネットワーク上の端末からアクセス可能状態となる。つまり、クレードル装置の通信機能を使って、撮影データを盗まれたり、プライベートデータが閲覧可能状態になったりしてしまう。
【０００５】
本発明はこのような問題点に鑑みなされたもので、撮像装置で撮像された画像に対する容易なアクセス制御を提供することを目的とする。
【課題を解決するための手段】
【０００６】
そこで、本発明は、撮像装置で撮像された画像毎に付加された画像に対してアクセス可能なユーザを識別するユーザ識別情報を、前記撮像装置より取得するユーザ識別情報取得手段と、ネットワークを介して通信可能な外部端末装置より前記画像に対するアクセス要求を受け取ると、前記アクセス要求に係り、前記外部端末装置より受け取ったユーザを識別するユーザ識別情報と、前記ユーザ識別情報取得手段において取得したユーザ識別情報と、に基づいて、アクセス可能なユーザからの要求か否かを判定し、アクセス可能なユーザからの要求であると判定すると、前記画像の転送に係る処理を実行する画像転送手段と、を有することを特徴とする。
【０００７】
係る構成とすることにより、撮像装置で撮像された画像に対する容易なアクセス制御を提供することができる。
【０００８】
また、本発明は、画像アクセス制御方法としてもよい。
【発明の効果】
【０００９】
本発明によれば、撮像装置で撮像された画像に対する容易なアクセス制御を提供することができる。
【発明を実施するための最良の形態】
【００１０】
以下、本発明の実施形態について図面に基づいて説明する。
【００１１】
（実施形態１）
図１は、デジタルカメラ１００と、クレードル装置２００と、画像受信端末７００とを含む、画像配信システムのシステム構成図である。ユーザは、通常、外出時には電池或いはバッテリをデジタルカメラ１００に装着して持ち出し、撮影に用いる。そして、ユーザは、帰宅時にはデジタルカメラ１００をクレードル装置２００に装着する。
【００１２】
クレードル装置２００は、デジタルカメラ１００のビューファインダー画像をＭＪＰＥＧの動画ストリームとして、無線アクセスポイント６００を介して画像受信端末７００に配信する。又は、クレードル装置２００は、デジタルカメラ１００で撮影したＪＰＥＧ等の静止画を、無線アクセスポイント６００を介して画像受信端末７００に配信する。
【００１３】
クレードル装置２００に着脱可能なＣＦカード等の外部メディアストレージ２１１は、デジタルカメラ１００をクレードル装置２００に装着した際、装着以前に撮影した画像、又は装着状態で撮影した画像を、記録保存する。
【００１４】
無線アクセスポイント６００は、クレードル装置２００との間で無線通信を行ない、パケット通信網であるＬＡＮ５００との接続を仲介する。リモートコントローラ８００は、画像受信端末７００の操作を行なう。更にリモートコントローラ８００は、ＬＡＮ５００、無線アクセスポイント６００を介してデジタルカメラ１００を装着したクレードル装置２００を操作することもできる。
【００１５】
画像受信端末７００は、デジタルカメラ１００及びクレードル装置２００から配信された各メディアストリームを受信し、様々なフォーマットによって符号化された各メディアを復号化してモニタへ出力する。
【００１６】
ストレージ装置９００は、デジタルカメラ１００で撮影した画像を、ＬＡＮ５００を介して記録し、更に画像の管理や検索を行う電子アルバムのようなアプリケーションを備える。
【００１７】
この画像配信システムの構成において、デジタルカメラ１００内の動画或いは静止画を、クレードル装置２００を介して配信して画像受信端末７００にて受信して動画或いは静止画を表示する。或いはデジタルカメラ１００内の動画或いは静止画を、クレードル装置２００を介して配信してストレージ装置９００に転送し、記録した後に画像受信端末７００にて表示する動作の詳細を説明する。
【００１８】
図２は、デジタルカメラ１００を示したブロック構成図である。図２において、１００は、デジタルカメラの本体を示す。１０１は、焦点合わせ、更にズーム機能を備えた撮影レンズである。１０２は、絞り機能を備えるシャッタである。１０３は、撮像レンズ１０１より透過した光量をシャッタ１０２により調節され、撮像面に結像された光像を、光電変換により画像信号に変換するＣＣＤセンサーやＣＭＯＳセンサー等の撮像素子である。なお、以下では、撮像素子として、ＣＣＤを用いた例を説明する。
【００１９】
１０４は、ＣＣＤ１０３の蓄積電化ノイズを低減する相関二重サンプリング部と、画像信号のゲインを調節する自動利得制御部と、である（以下、ＣＤＳ／ＡＧＣという）。１０５は、ＣＣＤ１０３からのアナログ画像信号をデジタル画像信号に変換するＡ／Ｄ変換器である。
【００２０】
１１０は、ＣＣＤ１０３における電荷の蓄積時間を制御するための操作タイミングパルスを出力するタイミングパルス発生器（以下、ＴＧという）であり、システム制御部１１６により制御される。１０６は、画像処理部であり、Ａ／Ｄ変換器１０５からのデジタル画像信号に対して所定の画素補間や色変換処理を行なう。また、画像処理部１０６は、撮像したデジタル画像信号を用いて所定の演算処理を行なう。システム制御部１１６は、演算処理の結果に基づいて、露出制御部１１１、フォーカス制御部１１２及びストロボ１１４に対してＴＴＬ（スルー・ザ・レンズ）方式のＡＦ、ＡＥ、ＥＦ（ストロボプリ発光）処理を行なっている。更に、画像処理部１０６は、撮影したデジタル画像信号を用いて所定の演算処理を行ない、得られた結果に基づいてＴＴＬ方式のＡＷＢ処理も行なっている。
【００２１】
１０７は、撮影した静止画や動画を格納するためのメモリであり、所定の枚数の静止画や所定時間の動画を格納するのに十分な記憶量を備えている。これにより、複数枚の静止画を連続して撮影する連続撮影やパノラマ撮影の場合にも高速かつ大量の画像を書き込むことができる。また、メモリ１０７は、Ｄ／Ａ変換器１０８を介して画像表示部１０９に画像を表示するためのメモリとしての機能も有する。
【００２２】
１０９は、ＴＦＴ、ＬＣＤ等から成る画像表示部である。メモリ１０７に書き込まれた表示用の画像データはＤ／Ａ変換器１０８を介して画像表示部１０９に表示される。この画像表示部１０９を用いて、撮像された画像を逐次表示すれば、電子ビューファインダー機能を実現することができる。また、画像表示部１０９は、システム制御部１１６からの指示により任意にＯＮ／ＯＦＦすることが可能であり、表示をＯＦＦにした場合にはデジタルカメラ１００の電力消費を大幅に低減することができる。
【００２３】
１１７は、Ｙ、Ｃｒ／Ｃｂ形式のデジタル画像信号を所定の圧縮伸長する画像符号化部である。画像符号化部１１７は、メモリ１０７に格納された画像を読み込んで圧縮処理或いは伸長処理を行ない、処理を終えた画像データを再びメモリ１０７に書き込む。１１１は、シャッタ１０２、ＴＧ１１０、ＣＤＳ／ＡＧＣ１０４の制御を行なう露出制御部であり、ストロボ１１４と連携することにフラッシュ調光機能も有している。
【００２４】
１１２は、撮影レンズ１０１の測距を制御するフォーカス制御部である。１１３は、撮影レンズ１０１のズーム機能を制御するズーム制御部である。１１４は、ストロボであり、ＡＦ補助光の投光機能、フラッシュ調光の投光機能も有する。露出制御部１１１、フォーカス制御部１１２は、ＴＴＬ方式を用いて制御されており、撮影した画像を画像処理部１０６によって演算した演算結果に基づき、システム制御部１１６が露出制御部１１１及びフォーカス制御部１１２に対して制御を行なう。
【００２５】
１１６は、デジタルカメラ１００全体を制御するシステム制御部である。１２１は、電気的に消去・記録可能な不揮発性メモリであるフラッシュメモリである。１２２は、システム制御部１１６でのプログラム実行に応じて、文字、画像、音声等を用いて動作状態やメッセージ等をユーザに通知する、表示装置やスピーカー等の表示部である。表示部１２２は、デジタルカメラ１００の操作部１２０近辺に位置する。また、表示部１２２は、例えば、ＬＣＤやＬＥＤ、発音素子等の組み合わせにより構成されている。
【００２６】
１１８は、モードスイッチである。ユーザはモードスイッチ１１８を操作して電源オフ、撮影モード、再生モード等デジタルカメラ１００の備える各機能モードを切り替え設定することができる。
【００２７】
撮影モードとして、例えば、ＡＥに関するパラメータを全て自動で行なう全自動モード、撮影状況や被写体によってＡＥパラメータを合わせた簡単撮影モード、全てのＡＥパラメータを撮影者自ら設定を行なう応用撮影モード等がある。また、簡単撮影モードには、ポートレートモード、風景モード、スポーツモード等がある。ここで、ポートレートモードとは、絞りを開放側に固定し、背景をぼかして人物を際立たせるように設定したモードである。また、風景モードとは、絞りを絞って被写体深度を深くするようにしたモードである。また、スポーツモードとは、動いている被写体に対してぶれずに撮影できるようにしたモードである。また、応用撮影モードには、被写体の明るさに応じてシャッタスピードと絞りとを自動的に設定するプログラムＡＥ、シャッタスピードを優先して設定するシャッタ優先ＡＥ、絞り値を優先に設定する絞り優先ＡＥ等がある。撮影者がそれぞれの撮影状況に応じて、ＡＥのモードを選択し、撮影を行なう。
【００２８】
１１９は、シャッタスイッチであり、ＳＷ１でシャッタボタンを浅く押した状態でオンとなり、ＡＦ、ＡＥ、ＡＷＢ、ＥＦ処理等の動作開始を指示する。更に、ＳＷ２でシャッタボタンを深く押した状態でオンとなり、ＣＣＤ１０３から読み出した画像信号をＣＤＳ／ＡＧＣ１０４、Ａ／Ｄ変換器１０５、画像処理部１０６での現像処理を介して、メモリ１０７に書き込む。そして、画像符号化部１１７で圧縮し、ＳＤ  Ｉ／Ｆ１２５を介して記録メディアであるＳＤカード１２６に書き込むという一連の動作開始を指示する。
【００２９】
１２０は、各種ボタンやタッチパネルから成る操作部である。ユーザは、操作部１２０のメニューボタン、セットボタン、十字ボタン等を使用し、デジタルカメラ１００の撮影機能に関わる設定を行なう。１１５は、電源制御部である。電源制御部１１５は、電池検出回路、ＤＣ−ＤＣコンバータ、通電するブロックを切り替えるスイッチ回路等により構成されている。そして、電源制御部１１５は、電池の装着の有無、電池の種類、電池残量の検出を行ない、検出結果及びシステム制御部１１６からの指示に基づいて必要な電圧を必要な期間、デジタルカメラ１００の各部へ供給する。
【００３０】
１２７は、ニッカド電池やリチウムイオン電池等の二次電池であるバッテリである。バッテリ１２７は、アルカリ電池等の一次電池ででも代替可能であるが、以降、バッテリを例に説明を行う。１２３は、デジタルカメラ１００をクレードル装置２００に装着した際に電源ケーブル４００を介して電力供給を受ける際にアダプタ更にその間バッテリ１２７に対して給電を行なうＤＣカプラ及びバッテリ充電部である。
【００３１】
１２４は、ＵＳＢ  Ｉ／Ｆ部であり、クレードル装置２００との画像や制御データのやり取りを行なう通信インターフェースである。本実施形態では、ＵＳＢでの通信を示しているが、１３９４等の他の通信方法で行なってもよいが、その場合、ＵＳＢ  Ｉ／Ｆ部１２４は各々の通信規格に準拠したインターフェースとなる。１２６は、記録メディアであるＳＤカードである。デジタルカメラ１００は、例えば、撮影した画像をＳＤ  Ｉ／Ｆ１２５を介してＳＤカードに書き込む。ＳＤカード１２６は、ＣＦカードやマイクロドライブ等の他の記録メディアにすることもできるがその場合、ＳＤ  Ｉ／Ｆ１２５は各々の記録メディアの規格に準拠したインターフェースとなる。
【００３２】
図３は、クレードル装置２００を示したブロック構成図である。図３において、２００は、クレードル装置の本体を示す。２０１は、雲台のパン動作を行なうモーターであるパン駆動部である。２０２は、雲台のチルト動作を行なうモーターであるチルト駆動部である。パン駆動部２０１及びチルト駆動部２０２は、各々、ステッピングモーターや超音波モーター等で構成される。
【００３３】
２０３は、システム制御部２０９からの指示によりパン駆動部２０１の角度や速度等の制御を行なうパン制御部である。２０４は、システム制御部２０９からの指示によりチルト駆動部２０２の角度や速度等の制御を行なうチルト制御部である。２０５は、デジタルカメラ１００をクレードル装置２００に装着した際に電源ケーブル４００を介して電力供給を行なう電源供給部である。なお、デジタルカメラ１００がバッテリ１２７の装着状態でクレードル装置２００と接続された場合には、バッテリ１２７の充電のための電力供給を行なう。
【００３４】
２０６は、デジタルカメラ１００との画像や制御データのやり取りを行なう通信インターフェース（ＵＳＢ  Ｉ／Ｆ）である。２１２は、電気的に消去・記録可能な不揮発性メモリであるフラッシュメモリである。２１０は、各種ボタンやタッチパネルから成るスイッチボタンである。ユーザは、例えば、スイッチボタン２１０を押すことでデジタルカメラ１００のＳＤカード１２６に記録されている画像を、クレードル装置２００に装着している記録メディアのＣＦカード２１１にコピーする。或いは、ユーザは、例えば、スイッチボタン２１０を押すことで無線ＬＡＮ  Ｉ／Ｆ２０７、無線アクセスポイント６００、ＬＡＮ５００を介して、画像受信端末へ画像を転送する。このようにユーザは、スイッチボタン２１０を用いることで、クレードル装置２００のある機能動作の開始をさせることができる。
【００３５】
２１１は、記録メディアであるＣＦカードである。クレードル装置２００は、デジタルカメラ１００で撮影した画像をＵＳＢ３００による通信によりＵＳＢ  Ｉ／Ｆ２０６、ＣＦ  Ｉ／Ｆ２０８を介してＣＦカード２１１に書き込む。或いは、クレードル装置２００は、ＣＦカード２１１に書き込まれた画像をＣＦ  Ｉ／Ｆ２０８、無線ＬＡＮ  Ｉ／Ｆ２０７、無線アクセスポイント６００、ＬＡＮ５００を介して、画像受信端末７００へ画像の転送を行なう。
【００３６】
ＣＦカード２１１は、ＳＤカードやマイクロドライブ等の他の記録メディアにすることもできるがその場合、ＣＦ  Ｉ／Ｆ２０８は各々の記録メディアの規格に準拠したインターフェースとなる。２０７は、無線ＬＡＮ  Ｉ／Ｆであり、アンテナ部２１３により無線アクセスポイント６００との無線通信の適応化を測る。２０９は、クレードル装置２００全体を制御するシステム制御部である。システム制御部２０９は、パン制御部２０３、チルト制御部２０４に指示を出し、雲台の制御を行ない、電源供給部２０５、ＵＳＢ  Ｉ／Ｆ２０６、ＣＦ  Ｉ／Ｆ２０８、無線ＬＡＮ  Ｉ／Ｆ２０７の各部に対して検知や指示を行なう。
【００３７】
クレードル装置２００、無線アクセスポイント６００、画像受信端末７００、等のネットワークに接続される装置の数は、図１で示したような本実施形態に限定されるものではなく、アドレス等で識別できれば多数存在してもかまわない。ＬＡＮ５００に関しても、カメラ制御信号、圧縮した画像を通すのに十分な帯域があるインターネットやイントラネット等のネットワークであれば何でもよい。
【００３８】
また、画像受信端末７００は、例えばＰＣ、携帯電話やＰＤＡのようなものや、ネットワーク対応テレビのようなものを想定している。したがって、ＬＡＮ５００への物理的な接続形態として有線だけでなく無線の場合もありうるが、プロトコル的に接続されていれば、物理的な形態にこだわるものではない。
【００３９】
まず、ユーザは、撮影を行なう前に、画像受信端末７００を操作して、ＬＡＮ５００、無線アクセスポイント６００、クレードル装置２００を介して、デジタルカメラ１００のフラッシュメモリ部１２１に使用者（ユーザ）の名前若しくはＩＤを登録しておく。以後、使用者ＩＤとして説明をするが、デジタルカメラ１００に登録しておく使用者ＩＤは複数でもよい。実際に撮影する際に、撮影者は登録された複数の使用者ＩＤの中から自分の使用者ＩＤを選択しておき、撮影を行なう。この際、ＡＦ制御のＡＦ枠選択に使われる視線入力センサーの使用に連動させて使用者ＩＤを選択するようにしてもよい。
【００４０】
撮影された画像データは、Ｅｘｉｆ形式の画像フォーマットに従って記録される。ここで、デジタルカメラ１００は、Ｅｘｉｆで用いられるタグ情報の中で、タグＮｏ．０ｘ０１３ｂの"Ａｒｔｉｓｔ"の項目に使用者ＩＤを記録させる。或いは、デジタルカメラ１００は、メーカー独自情報の項目に使用者ＩＤの項目を作成して、ここに記録するようにしてもよい。この場合、複数の使用者ＩＤを記録しておくこともでき、アクセス管理を複数人に対応させることができる。
【００４１】
撮影データはデジタルカメラ１００内のＳＤカード１２６に使用者ＩＤが書き込まれたＥｘｉｆファイル形式として記録されて保存されることになる。撮影後、ユーザは、デジタルカメラ１００をクレードル装置２００に装着する。以下、デジタルカメラ１００内のＳＤカード１２６に記録された画像データに対してアクセスを行なうときの動作手順を説明する。
【００４２】
図４は、画像配信システムの画像アクセス制御管理動作手順を示す図（その１）である。デジタルカメラ１００をクレードル装置２００に装着すると、ＵＳＢ３００によりＵＳＢ  Ｉ／Ｆ２０６を介してクレードル装置２００のシステム制御部２０９にデジタルカメラ１００がクレードル装置２００に装着されたことが通知される。
【００４３】
これにより、クレードル装置２００のシステム制御部２０９は、デジタルカメラ１００のシステム制御部１１６に対し、ＳＤカード１２６に記録された画像データのＥｘｉｆ情報の中から全画像データに対応する使用者ＩＤのタグ情報の取得を要求する。
【００４４】
要求を受けたデジタルカメラ１００のシステム制御部１１６は、ＳＤカード１２６内に記録された全画像データの使用者ＩＤのタグ情報をＳＤ  Ｉ／Ｆ１２５を経由して読み取り、ＵＳＢ３００によりクレードル装置２００のシステム制御部２０９に転送する。システム制御部２０９は、受け取った使用者ＩＤのタグ情報を、デジタルカメラ１００がクレードル装置２００に装着されている間、メモリ内に保持しておく。
【００４５】
この状態で、ユーザは、画像受信端末７００からＬＡＮ５００を経由してデジタルカメラ１００内のＳＤカード１２６に記録された画像データをモニタに表示させるようにする。画像受信端末７００は、ＬＡＮ５００、無線アクセスポイント６００を介して、クレードル装置２００のシステム制御部２０９に対して、使用者ＩＤと共に、デジタルカメラ１００内のＳＤカード１２６に記録された画像データに係るリスト情報の取得要求を送信する。
【００４６】
要求を受けたシステム制御部２０９は、メモリ内で保持してある全画像データの使用者ＩＤのタグ情報と、要求と共に受け取った使用者ＩＤと、を照合する。そして、システム制御部２０９は、要求と共に受けた使用者ＩＤが書き込まれたタグ情報を持つ画像データに係るリスト情報を、画像受信端末７００に転送する。
【００４７】
なお、システム制御部２０９は、デジタルカメラ１００に対して、要求と共に受けた使用者ＩＤが書き込まれたタグ情報を持つ画像データに係るリスト情報の要求を出し、デジタルカメラ１００からリスト情報を取得するようにしてもよい。また、システム制御部２０９は、デジタルカメラ１００よりタグ情報を取得する際、デジタルカメラ１００内の画像のリスト情報も取得し、内部メモリ等に保持するようにしておいてもよい。この場合、システム制御部２０９は、内部メモリに保持しているリスト情報の中から、要求と共に受けた使用者ＩＤが書き込まれたタグ情報を持つ画像データに係るリスト情報を取得し、画像受信端末７００に転送する。
【００４８】
画像受信端末７００は、この転送されたリスト情報をモニタに表示する。そして、画像受信端末７００は、使用者ＩＤと共に、リスト情報を基にユーザが選択した画像の表示要求を、クレードル装置２００のシステム制御部２０９に対して送る。要求を受けたシステム制御部２０９は、メモリ内で保持してある表示要求を受けた画像データの使用者ＩＤのタグ情報と、要求と共に共に受け取った使用者ＩＤと、を照合する。
【００４９】
使用者ＩＤが合致した場合、システム制御部２０９は、デジタルカメラ１００のシステム制御部１１６に対して、ＵＳＢ３００を介して画像受信端末７００への画像転送の要求を送る。要求を受けたシステム制御部１１６は、ＳＤ  Ｉ／Ｆ１２５経由で該当する画像をカード１２６から読み出し、ＵＳＢ３００経由でクレードル装置２００のシステム制御部２０９に転送する。転送を受けたシステム制御部２０９は、そのまま、要求元の画像受信端末７００へ画像を転送させる。画像を受けた画像受信端末７００は、画像をモニタに表示させる。
【００５０】
一方、使用者ＩＤが合致しなかった場合、システム制御部２０９は、画像受信端末７００に対して、表示不許可の通知を行なう。
【００５１】
このクレードル装置２００と画像受信端末７００との通信は、基本的にはＴＣＰ／ＩＰによる通信を行なうが、ＨＴＴＰ或いはＳＩＰ等によるアプリケーション通信プロトコルに従って通信するようにしてもよい。
【００５２】
以上、本実施形態によれば、撮像装置で撮像された画像に対する容易なアクセス制御を提供することができる。
【００５３】
（実施形態２）
次に、画像受信端末７００からＬＡＮ５００を経由してデジタルカメラ１００内にある、クレードル装置２００に装着される以前に撮影された画像を、ストレージ装置９００に転送する。そして、ストレージ装置９００に記録した後に画像受信端末７００に表示させる画像配信システムの動作を説明する。
【００５４】
図５は、画像配信システムの画像アクセス制御管理動作手順を示す図（その２）である。デジタルカメラ１００内のＳＤカード１２６に記録された画像に対してアクセスが許可されている画像に係るリスト情報を画像受信端末７００が受け取るところまでは実施形態１の説明と同様である。
【００５５】
画像受信端末７００は、この転送されたリスト情報をモニタに表示する。そして、画像受信端末７００は、使用者ＩＤと共に、リスト情報を基にユーザが選択した画像のストレージ装置９００への転送要求を、クレードル装置２００のシステム制御部２０９に対して送る。要求を受けたシステム制御部２０９は、メモリ内で保持してある表示要求を受けた画像データの使用者ＩＤのタグ情報と、要求と共に共に受け取った使用者ＩＤと、を照合する。
【００５６】
使用者ＩＤが合致した場合、システム制御部２０９は、デジタルカメラ１００のシステム制御部１１６に対して、ＵＳＢ３００を介してストレージ装置９００への画像転送の要求を送る。要求を受けたシステム制御部１１６は、ＳＤ  Ｉ／Ｆ１２５経由で該当する画像をカード１２６から読み出し、ＵＳＢ３００経由でクレードル装置２００のシステム制御部２０９に転送する。転送を受けたシステム制御部２０９は、そのまま、ストレージ装置９００へ画像を転送させる。
【００５７】
画像の転送が終了し、記録が完了したら、ストレージ装置９００は、画像受信端末７００へ画像保存終了の通知を送る。なお、ストレージ装置９００が、画像受信端末７００へ画像保存終了の通知を送るのではなく、クレードル装置２００が画像転送終了の通知を画像受信端末７００へ送るようにしてもよい。
【００５８】
通知を受けた画像受信端末７００は、以後、上述した実施形態１の説明でクレードル装置２００に対して行なったように、ストレージ装置９００に対して、使用者ＩＤと共に保存した画像を表示させるように要求を行なう。要求を受けたストレージ装置９００もクレードル装置２００と同様に処理を行ない、画像受信端末７００へ画像の転送を行なうようにする。
【００５９】
以上の説明で述べたストレージ装置９００の機能は、クレードル装置２００のＣＦカード２１１上で実現させることもできる。この場合、上述したＬＡＮ５００を経由した通信形態に代わって、ＣＦ  Ｉ／Ｆ２０８を経由した通信形態になる。
【００６０】
更に、最近、デジタルカメラ１００内に無線ＬＡＮ機能を搭載したものが発売されてきたが、この機種のデジタルカメラの場合は上述のようなクレードル装置２００は、デジタルカメラ１００を着脱するような形態をとらなくてもよい。このような機種のデジタルカメラは、内部に無線ＬＡＮ  Ｉ／Ｆとアンテナとを搭載し、図３で示したクレードル装置２００のブロック構成と同じであるサーバー装置としてアンテナ部２１３を介した無線ＬＡＮ  Ｉ／Ｆ２０７との通信を行なう。
【００６１】
通信は、ＴＣＰ／ＩＰ等のプロトコルを用いることにより、上述したＵＳＢ３００を介したデータの送受信と同様に動作させることによって実現できる。この場合、デジタルカメラ１００内のＳＤカード１２６に記録された使用者ＩＤのタグ情報と、画像データのリスト情報とは、デジタルカメラ１００とサーバー装置との通信セッションが張られた際に送るようにする。
【００６２】
以上、本実施形態によれば、撮像装置で撮像された画像に対する容易なアクセス制御を提供することができる。
【００６３】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００６４】
【図１】デジタルカメラ１００と、クレードル装置２００と、画像受信端末７００とを含む、画像配信システムのシステム構成図である。
【図２】デジタルカメラ１００を示したブロック構成図である。
【図３】クレードル装置２００を示したブロック構成図である。
【図４】画像配信システムの画像アクセス制御管理動作手順を示す図（その１）である。
【図５】画像配信システムの画像アクセス制御管理動作手順を示す図（その２）である。
【符号の説明】
【００６５】
１００  デジタルカメラ
２００  クレードル装置
７００  画像受信端末
【図１】
2008060843.tif 000003
【図２】
2008060843.tif 000004
【図３】
2008060843.tif 000005
【図４】
2008060843.tif 000006
【図５】
2008060843.tif 000007